(57)【特許請求の範囲】
【請求項１】
衣類乾燥機であって、
衣類を収容するドラムと、
外部からドラム内に空気を送るファンと、
ドラム内に送られる前の空気を加熱するバーナと、
ドラム内の衣類の乾燥に関係する関係温度を検出する関係温度検出手段と、
制御装置と、を備えており、
制御装置は、
（ａ）バーナ及びファンを作動させることによって乾燥運転を開始させた後で、関係温度検出手段が検出する関係温度が所定のオフ閾値を上回る場合にバーナを停止させ、
（ｂ）バーナを停止させた後に、所定のオフ期間の間、バーナを停止させた状態を維持し、
（ｃ）オフ期間の経過後において、関係温度検出手段が検出する関係温度が、オフ閾値よりも低い所定のオン閾値を下回る場合に、バーナを再度作動させ、
（ｄ）バーナを再度作動させた後に、所定のオン期間の間バーナの作動を継続し、
（ｅ）関係温度検出手段が検出する関係温度がオフ閾値を超えることなくオン期間が経過する場合には、バーナを停止させて、上記（ｂ）の処理に戻り、
（ｆ）オン期間の間バーナの作動を継続する間に関係温度検出手段が検出する関係温度がオフ閾値を超える特定の場合には、オン期間の経過前にバーナを停止させ、オフ期間が長くなるようにオフ期間を変化させて、上記（ｂ）の処理に戻る、
衣類乾燥機。
【請求項２】
制御装置は、特定の場合には、さらに、オン期間が短くなるようにオン期間を変化させて、上記（ｂ）の処理に戻る、
請求項１に記載の衣類乾燥機。
【請求項３】
関係温度は、ドラム内を通過した後の空気の温度である排気温を含み、
関係温度検出手段は、排気温を検出する排気温センサを含み、
オフ閾値は、排気温の閾値である所定のオフ排気温閾値を含み、
オン閾値は、オフ排気温閾値よりも低い排気温の閾値である所定のオン排気温閾値を含む、
請求項１又は２に記載の衣類乾燥機。
【請求項４】
関係温度は、ドラム内の衣類の温度である衣類温を含み、
関係温度検出手段は、衣類温を検出する衣類温センサを含み、
オフ閾値は、衣類温の閾値である所定のオフ衣類温閾値を含み、
オン閾値は、オフ衣類温閾値よりも低い衣類温の閾値である所定のオン衣類温閾値を含む、
請求項１から３のいずれか一項に記載の衣類乾燥機。
【発明の詳細な説明】
【技術分野】
【０００１】
本発明は、衣類乾燥機に関する。
【背景技術】
【０００２】
特許文献１には、衣類を収容するドラムと、外部からドラム内に空気を送るファンと、ドラム内に送られる空気を加熱するバーナと、バーナによって加熱された後であってドラム内に送られる前の空気の温度である吹出温を検出する吹出温センサと、制御装置と、を備える衣類乾燥機が開示されている。この衣類乾燥機では、制御装置は、バーナ及びファンを作動させることによって乾燥運転を開始させた後で、吹出温センサが検出する吹出温が所定のオフ閾値を上回る場合にバーナを停止させ、バーナを停止させた後に、吹出温がオフ閾値よりも低い所定のオン閾値を下回る場合に、バーナを再度作動させる。これにより、ドラム内の温度が過度な高温に維持されることの抑制を図っている。
【先行技術文献】
【特許文献】
【０００３】
【特許文献１】特開平７−８６９３号公報
【発明の概要】
【発明が解決しようとする課題】
【０００４】
特許文献１の衣類乾燥機によると、特に乾燥運転の終盤においてバーナの作動及び停止の繰り返し回数が多くなり、それに伴ってドラムに供給される空気の温度が乾燥に適した温度よりも高温に維持され易くなる。その結果、ドラム内の衣類が過度に高温に晒され、ダメージを受けるおそれがある。
【０００５】
本明細書では、バーナの作動及び停止の繰り返し回数が多くなることを抑制して、ドラム内の衣類がダメージを受けることを抑制することができる衣類乾燥機を開示する。
【課題を解決するための手段】
【０００６】
本明細書が開示する衣類乾燥機は、衣類を収容するドラムと、外部からドラム内に空気を送るファンと、ドラム内に送られる前の空気を加熱するバーナと、ドラム内の衣類の乾燥に関係する関係温度を検出する関係温度検出手段と、制御装置と、を備えている。制御装置は、（ａ）バーナ及びファンを作動させることによって乾燥運転を開始させた後で、関係温度検出手段が検出する関係温度が所定のオフ閾値を上回る場合にバーナを停止させ、（ｂ）バーナを停止させた後に、所定のオフ期間の間、バーナを停止させた状態を維持し、（ｃ）オフ期間の経過後において、関係温度検出手段が検出する関係温度が、オフ閾値よりも低い所定のオン閾値を下回る場合に、バーナを再度作動させ、（ｄ）バーナを再度作動させた後に、所定のオン期間の間バーナの作動を継続し、（ｅ）関係温度検出手段が検出する関係温度がオフ閾値を超えることなくオン期間が経過する場合には、バーナを停止させて、上記（ｂ）の処理に戻り、（ｆ）オン期間の間バーナの作動を継続する間に関係温度検出手段が検出する関係温度がオフ閾値を超える特定の場合には、オン期間の経過前にバーナを停止させ、オフ期間が長くなるようにオフ期間を変化させて、上記（ｂ）の処理に戻る。
【０００７】
上記の衣類乾燥機は、乾燥運転の開始後に、関係温度が所定のオフ閾値を上回る場合にバーナを停止させ、バーナを停止させた後、オフ期間の間はバーナを停止させた状態を維持し、その後、関係温度が所定のオン閾値を下回る場合に、バーナを再度作動させ、オン期間の間バーナの作動を継続させることで、関係温度をオン閾値以上オフ閾値以下の温度に保ち、関係温度が過度な高温に維持されることを抑制する。その上で、上記の衣類乾燥機は、オン期間の間バーナの作動を継続する間に関係温度検出手段が検出する関係温度がオフ閾値を超える特定の場合には、オン期間の経過前にバーナを停止させ、オフ期間が長くなるようにオフ期間を変化させる。これにより、次回以降のオフ期間が長くなり、オフ期間の間の関係温度の低下が促進される。そのため、バーナの作動及び停止の繰り返し回数が多くなることを抑制することができる。従って、関係温度が乾燥に適した温度よりも高温に維持されることを抑制し、ドラム内の衣類がダメージを受けることを抑制することができる。
【図面の簡単な説明】
【０００８】
【図１】衣類乾燥機２の構成を模式的に示す図。
【図２】制御装置７０によるメイン処理を示すフローチャート。
【図３】制御装置７０による閉塞補正処理を示すフローチャート。
【図４】制御装置７０によるコース判定処理及び衣類温温調処理を示すフローチャート。
【図５】制御装置７０による排気温温調処理を示すフローチャート。
【図６】比較例の衣類乾燥機によって乾燥運転を行う場合における衣類温、排気温、吹出温、及び、電極検出状態の推移を示すグラフ。
【図７】実施例の衣類乾燥機２によって乾燥運転を行う場合における衣類温、排気温、吹出温、及び、電極検出状態の推移を示すグラフ。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）制御装置は、特定の場合には、さらに、オン期間が短くなるようにオン期間を変化させて、上記（ｂ）の処理に戻ることが好ましい。
【００１１】
この構成によると、衣類乾燥機は、特定の場合に、さらに、オン期間が短くなるようにオン期間を変化させる。これにより、次回以降のオフ期間が長くなるとともに、オン期間が短くなる。これにより、オフ期間の間の関係温度の低下が促進されるとともに、オン期間の間の関係温度の上昇が抑制される。従って、関係温度が乾燥に適した温度よりも高温に維持されることをより適切に抑制し、ドラム内の衣類がダメージを受けることをより適切に抑制することができる。
【００１２】
（特徴２）関係温度は、ドラム内を通過した後の空気の温度である排気温を含むことが好ましい。関係温度検出手段は、排気温を検出する排気温センサを含むことが好ましい。オフ閾値は、排気温の閾値である所定のオフ排気温閾値を含むことが好ましい。オン閾値は、オフ排気温閾値よりも低い排気温の閾値である所定のオン排気温閾値を含むことが好ましい。
【００１３】
この構成によると、衣類乾燥機は、排気温を基準として、バーナの作動及び停止を切り替えることができる。従って、排気温が過度に上昇することを抑制することにより、ドラム内の衣類が過度に高温に晒されることを抑制し、ドラム内の衣類がダメージを受けることを抑制することができる。
【００１４】
（特徴３）関係温度は、ドラム内の衣類の温度である衣類温を含むことが好ましい。関係温度検出手段は、衣類温を検出する衣類温センサを含むことが好ましい。オフ閾値は、衣類温の閾値である所定のオフ衣類温閾値を含むことが好ましい。オン閾値は、オフ衣類温閾値よりも低い衣類温の閾値である所定のオン衣類温閾値を含むことが好ましい。
【００１５】
この構成によると、衣類乾燥機は、衣類温を基準として、バーナの作動及び停止を切り替えることができる。従って、衣類温が過度に上昇することを抑制することにより、ドラム内の衣類が過度に高温に晒されることを抑制し、ドラム内の衣類がダメージを受けることを抑制することができる。
【００１６】
（実施例）
（衣類乾燥機２の構成；図１）
図１に示すように、本実施例の衣類乾燥機２は、筐体４と、ドア６と、ドラム１０と、ファン１４と、バーナ３０と、制御装置７０と、を備えている。
【００１７】
筐体４は、衣類乾燥機２の本体である。衣類乾燥機２の上記の各要素は筐体４内に収容されている。筐体４の前面（図１の左側）には、表示部及び操作部（図示しない）が設けられている。表示部は様々な情報が表示されるディスプレイである。操作部は複数のボタンを備える。利用者は、操作部を介して、衣類乾燥機２に様々な指示を入力可能である。ドア６は、筐体４の前面に設けられた扉である。
【００１８】
ドラム１０は、乾燥の対象の衣類Ｃを収容する容器である。ドラム１０は、モータ１２によって回転させられる。ドラム１０の前面側には前面開口部１０ａが開口しており、ドア６によって閉塞される。衣類乾燥機２の利用者は、ドア６を開けて、前面開口部１０ａを介してドラム１０内に衣類Ｃを投入するとともに、ドラム１０内から衣類Ｃを取り出すことができる。また、ドラム１０の前面側であって、前面開口部１０ａの側方には、ドラム１０内にバーナ３０で加熱された後の空気を送り込むための吹出口３６も開口されている。
【００１９】
ドラム１０内には、電極５０及び衣類温サーミスタ６０が設けられている。電極５０は、衣類Ｃに含まれる水分を検出する。衣類温サーミスタ６０は、ドラム１０内の衣類Ｃの温度（以下では「衣類温」と呼ぶ）を検出する。ドラム１０の回転に伴って衣類Ｃが電極５０及び衣類温サーミスタ６０に接触することにより、電極５０は衣類Ｃの水分を検出し、衣類温サーミスタ６０は衣類温を検出することができる。また、ドラム１０内には、図示しない重量センサも設けられている。重量センサは、ドラム１０内の衣類Ｃの重量を検出する。
【００２０】
また、ドラム１０の後面側（図１の右側）には後面開口部１０ｂが開口している。後面開口部１０ｂはリントフィルタ１６によって閉塞されている。リントフィルタ１６は、ドラム１０内の衣類Ｃ等から発生した糸くず（リント）を収集するためのフィルタである。リントフィルタ１６は、空気を通過させるが、空気に含まれる糸くず類を通過させずに捕捉する。
【００２１】
ファン１４は、ドラム１０の後側に配置されている。ファン１４を作動させることにより、筐体４の外部からドラム１０内に空気を送り込むとともに（図１の矢印Ｗ１〜Ｗ３参照）、ドラム１０内の空気を、筐体４の背面（図１中の右側）近傍の上面に形成された排気口２０に向けて送り出す（図１の矢印Ｗ４〜Ｗ６参照）ことができる。排気温サーミスタ２２は、排気口２０の近傍に設けられており、ドラム１０内から排気口２０に向けて送り出される空気の温度（以下では「排気温」と呼ぶ場合がある）を検出するサーミスタである。
【００２２】
バーナ３０は、ドラム１０の下方に配置されている。バーナ３０は、ガスを燃焼させた燃焼熱を利用して、外部から吹出口３６を介してドラム１０内に送りこまれる空気を加熱する（矢印Ｗ３参照）。バーナ３０には、ガス供給管３２を介して燃料であるガスが供給される。ガス供給管３２には、ガス供給管３２を開閉するための電磁弁３４が設けられている。バーナ３０と吹出口３６との間には吹出温サーミスタ４０が設けられている。吹出温サーミスタ４０は、バーナ３０で加熱された後の空気（即ち、吹出口３６からドラム１０内に送り込まれる空気（矢印Ｗ３参照））の温度（以下では「吹出温」と呼ぶ）を検出するサーミスタである。
【００２３】
制御装置７０は、上述の衣類乾燥機２の筐体４内の各構成要素と電気的に接続されており、各構成要素の動作を制御する。
【００２４】
（衣類乾燥機２の動作）
次いで、本実施例の衣類乾燥機２の動作について説明する。利用者が、ドラム１０内に衣類Ｃを投入し、衣類乾燥機２の操作部（図示しない）を介して所定の乾燥開始操作を入力すると、衣類乾燥機２は乾燥運転を実行する。乾燥運転が実行される間、制御装置７０は、図２〜図５に示す各処理を実行する。
【００２５】
（メイン処理；図２）
図２は、衣類乾燥機２の乾燥運転中に制御装置７０が実行するメイン処理のフローチャートを示す。制御装置７０は、操作部において乾燥開始操作が入力されると、制御装置７０は図２のメイン処理を開始する。Ｓ１０では、制御装置７０は、モータ１２及びファン１４を回転させるとともに、バーナ３０を作動させる。これによって乾燥運転が開始される。以下では、バーナ３０を作動させる（即ち燃焼状態にする）ことを「バーナ３０をオンする」と呼び、バーナ３０を停止させる（即ち消火状態にする）ことを「バーナ３０をオフする」と呼ぶ場合がある。
【００２６】
次いで、制御装置７０は、この時点におけるオンオフデューティをパターン１に設定する。ここで、「オンオフデューティ」とは、所定の単位期間（本実施例では６０秒）のうち、バーナ３０をオンする期間（以下では「オン期間」と呼ぶ）と、バーナ３０をオフする期間（以下では「オフ期間」と呼ぶ）との割合のことである。後で詳しく説明する通り、Ｓ１０で乾燥運転を開始した後、排気温が所定の排気温オフ設定値を上回った後は、制御装置７０は、このオンオフデューティに従ってバーナ３０のオンオフを切り替える排気温温調制御（図５参照）を行う。オンオフデューティには、予め定められた複数個のパターンが存在する（図５参照）。例えば、パターン１は、単位期間である６０秒のうち、オン期間が５０秒であり、オフ期間が１０秒である。パターン２は、オン期間が４５秒であり、オフ期間が１５秒である。パターン３は、オン期間が４０秒であり、オフ期間が２０秒である。このように、各パターンは、パターンの数値が１段階進むごとに、オン期間が短くなり、オフ期間が長くなるように設定されている。Ｓ１２では、制御装置７０は、オンオフデューティをパターン１に設定する。
【００２７】
続くＳ１４では、制御装置７０は、ドラム１０内の衣類Ｃの重量と、衣類Ｃの脱水度とに基づいて、乾燥運転の運転コースを仮判定し、その結果が定格であるか否かを判断する。衣類Ｃの重量は、ドラム１０内の重量センサ（図示しない）によって検出される。衣類Ｃの脱水度は、電極５０が衣類Ｃの水分を検出する頻度に基づいて算出される。衣類Ｃの重量及び脱水度が所定の定格範囲内である場合、制御装置７０は、運転コースの仮判定結果が定格であると判断する。この場合、制御装置７０は、Ｓ１４でＹＥＳと判断し、Ｓ１６に進む。一方、衣類Ｃの重量及び脱水度が所定の定格範囲外である場合（例えば、衣類Ｃが多すぎる場合や少なすぎる場合（過剰、少量）、衣類Ｃの乾燥が既に相当程度進行している場合（高脱水）等）、制御装置７０は、運転コースの仮判定結果が定格でないと判断する。この場合、制御装置７０は、Ｓ１４でＮＯと判断し、Ｓ１８に進む。
【００２８】
Ｓ１６、Ｓ１８では、制御装置７０は、衣類温オフ初期値、衣類温オン初期値、排気温オフ初期値、及び、排気温オン初期値の各初期値を設定する。ここで、「衣類温オフ初期値」は、乾燥運転の開始後にバーナ３０をオフするための基準になる衣類温の初期設定値である。「衣類温オン初期値」は、一旦バーナ３０をオフさせた後でバーナ３０を再度オンするための基準になる衣類温の初期設定値である。「排気温オフ初期値」は、乾燥運転の開始後にバーナ３０をオフするための基準になる排気温の初期設定値である。「排気温オン初期値」は、一旦バーナ３０をオフさせた後でバーナ３０を再度オンするための基準になる排気温の初期設定値である。Ｓ１６の場合とＳ１８の場合とでは、設定される各初期値の値が異なる。
【００２９】
Ｓ１６では、衣類温オフ初期値、衣類温オン初期値は、それぞれ、９０℃、８０℃に設定される。そして、排気温オフ初期値、排気温オン初期値は、それぞれ、７２℃、７１℃に設定される。
【００３０】
一方、Ｓ１８では、衣類温オフ初期値、衣類温オン初期値は、それぞれ、８５℃、７５℃に設定される。そして、排気温オフ初期値、排気温オン初期値は、それぞれ、７０℃、６８℃に設定される。
【００３１】
続くＳ２０では、制御装置７０は、衣類温オフ補正値、衣類温オン補正値、排気温オフ補正値、及び、排気温オン補正値の各補正値を初期設定する。Ｓ２０の時点では、いずれの補正値も０に設定される。ここで、「衣類温オフ補正値」は、上記の衣類温オフ初期値を補正して、乾燥運転の開始後にバーナ３０をオフするための基準になる衣類温の設定値である衣類温オフ設定値を算出するための値である。また、「衣類温オン補正値」は、上記の衣類温オン初期値を補正して、一旦バーナ３０をオフさせた後でバーナ３０を再度オンするための基準になる衣類温の設定値である衣類温オン設定値を算出するための値である。また、「排気温オフ補正値」は、上記の排気温オフ初期値を補正して、乾燥運転の開始後にバーナ３０をオフするための基準になる排気温の設定値である排気温オフ設定値を算出するための値である。また、「排気温オン補正値」は、上記の排気温オン初期値を補正して、一旦バーナ３０をオフさせた後でバーナ３０を再度オンするための基準になる排気温の設定値である排気温オン設定値を算出するための値である。
【００３２】
次いで、Ｓ２２において、制御装置７０は、衣類温オフ設定値、衣類温オン設定値、排気温オフ設定値、及び、排気温オン設定値の各設定値を算出する。衣類温オフ設定値は、衣類温オフ初期値から衣類温オフ補正値を減じた値である。衣類温オン設定値は、衣類温オン初期値から衣類温オン補正値を減じた値である。排気温オフ設定値は、排気温オフ初期値から排気温オフ補正値を減じた値である。排気温オン設定値は、排気温オン初期値から排気温オン補正値を減じた値である。Ｓ１０で乾燥運転が開始された直後のＳ２２では、各補正値が０に設定されるため（Ｓ２０）、各設定値は、Ｓ１６又はＳ１８で設定された各初期値と同じ値になる。
【００３３】
次いで、制御装置７０は、Ｓ２４、Ｓ２６、Ｓ２８の各監視を実行する。Ｓ２４では、制御装置７０は、Ｓ１０で乾燥運転を開始してから所定期間（本実施例では２分３０秒）が経過する前に、排気温サーミスタ２２が検出する排気温が、排気温オフ設定値（Ｓ２２）以上になることを監視する。所定期間が経過する前に、排気温が排気温オフ設定値以上になる場合、制御装置７０は、Ｓ２４でＹＥＳと判断し、図５のＳ１１０以降の各処理（以下では、「排気温温調処理」と呼ぶ）を実行する。例えば、前回の乾燥運転が終了した直後に乾燥運転が再実行される場合等、乾燥運転の開始直後の時点で既にドラム１０内の空気が十分に高温であるような場合には、Ｓ２４でＹＥＳと判断されうる。
【００３４】
Ｓ２６では、制御装置７０は、Ｓ１０で乾燥運転を開始してから所定期間が経過する前に、衣類温サーミスタ６０が検出する衣類温が、衣類温オフ設定値（Ｓ２２）以上になることを監視する。所定期間が経過する前に、衣類温が衣類温オフ設定値以上になる場合、制御装置７０は、Ｓ２６でＹＥＳと判断し、図４のＳ９４〜Ｓ９８及びＳ８８、Ｓ９０の各処理（以下では、「衣類温温調処理」と呼ぶ）を実行する。例えば、前回の乾燥運転が終了した直後に衣類が取り出されずに乾燥運転が再実行される場合等、乾燥運転の開始直後の時点で既に衣類Ｃが十分に高温であるような場合には、Ｓ２６でＹＥＳと判断されうる。
【００３５】
Ｓ２８では、制御装置７０は、Ｓ１０で乾燥運転を開始してから所定期間が経過することを監視する。Ｓ１０で乾燥運転が開始されてから、Ｓ２４とＳ２６のいずれにおいてもＹＥＳと判断されない状態であるとともに、所定期間が未経過である場合、制御装置７０はＳ２８でＮＯと判断し、図３のＳ５０以降の各処理（以下では、「閉塞補正処理」と呼ぶ）を実行する。一方、Ｓ１０で乾燥運転を開始してから、Ｓ２４とＳ２６のいずれにおいてもＹＥＳと判断されない状態で所定期間が経過する場合、制御装置７０はＳ２８でＹＥＳと判断し、図４のＳ８０〜Ｓ８６の各処理（以下では、「コース判定処理」と呼ぶ）を実行する。
【００３６】
（閉塞補正処理；図３）
図３を参照して、閉塞補正処理の内容について説明する。Ｓ５０では、制御装置７０は、吹出温サーミスタ４０が検出する吹出温が１４０℃以上１６０℃未満であるか否かを判断する。この時点の吹出温が１４０℃以上１６０℃未満の範囲内である場合、制御装置７０は、Ｓ５０でＹＥＳと判断し、Ｓ５２に進む。リントフィルタ１６がリントによって閉塞されると、衣類乾燥機２の通気経路を流れる空気の風量が減り、それに伴って吹出温は高くなる。リントフィルタ１６が殆ど閉塞されていない場合、通常、吹出温は１４０℃未満の範囲に維持されるが、リントフィルタ１６が閉塞されてくると、吹出温は１４０℃以上まで上昇する。そして、リントフィルタ１６の閉塞度合が高くなるに従って、吹出温も高くなる。Ｓ５２では、制御装置７０は、各補正値を再設定する。Ｓ５２では、衣類温オフ補正値が１０、衣類温オン補正値が１０、排気温オフ補正値が５、排気温オン補正値が５にそれぞれ設定される。Ｓ５２を終えるとＳ５４に進む。一方、吹出温が１４０℃以上１６０℃未満の範囲外である場合、制御装置７０は、Ｓ５０でＮＯと判断し、Ｓ５２をスキップしてＳ５４に進む。
【００３７】
Ｓ５４では、制御装置７０は、吹出温が１６０℃以上１８０℃未満であるか否かを判断する。この時点の吹出温が１６０℃以上１８０℃未満の範囲内である場合、制御装置７０は、Ｓ５４でＹＥＳと判断し、Ｓ５６に進む。Ｓ５６では、制御装置７０は、各補正値を再設定する。Ｓ５６では、衣類温オフ補正値が１５、衣類温オン補正値が２０、排気温オフ補正値が１０、排気温オン補正値が１０にそれぞれ設定される。Ｓ５６を終えるとＳ５８に進む。一方、吹出温が１６０℃以上１８０℃未満の範囲外である場合、制御装置７０は、Ｓ５４でＮＯと判断し、Ｓ５６をスキップしてＳ５８に進む。
【００３８】
Ｓ５８では、制御装置７０は、吹出温が１８０℃以上２００℃未満であるか否かを判断する。この時点の吹出温が１８０℃以上２００℃未満の範囲内である場合、制御装置７０は、Ｓ５８でＹＥＳと判断し、Ｓ６０に進む。Ｓ６０では、制御装置７０は、筐体４の前面の表示部に設けられている報知ランプを点灯させる。これにより、報知ランプを見た利用者は、現在リントフィルタ１６が閉塞されており、清掃が必要であることを知ることができる。続くＳ６２では、制御装置７０は、各補正値を再設定する。Ｓ６２では、衣類温オフ補正値が２０、衣類温オン補正値が３０、排気温オフ補正値が１５、排気温オン補正値が１５にそれぞれ設定される。Ｓ６２を終えるとＳ６４に進む。一方、吹出温が１８０℃以上２００℃未満の範囲外である場合、制御装置７０は、Ｓ５８でＮＯと判断し、Ｓ６０、Ｓ６２をスキップしてＳ６４に進む。
【００３９】
Ｓ６４では、制御装置７０は、吹出温が２００℃以上であるか否かを判断する。この時点の吹出温が２００℃以上である場合、制御装置７０は、Ｓ６４でＹＥＳと判断し、Ｓ６６に進み、乾燥運転をエラー停止させる。この場合、制御装置７０は、モータ１２及びファン１４を停止させるとともに、バーナ３０をオフする。Ｓ６６を終えると、制御装置７０は乾燥運転をエラー終了する。一方、吹出温が２００℃以上ではない場合、制御装置７０は、Ｓ６４でＮＯと判断し、図３のＳ２２に戻る。即ち、Ｓ２２では、制御装置７０は、この時点で設定されている各補正値（Ｓ２０、図３のＳ５２、Ｓ５６、Ｓ６２のいずれか）を利用して、各設定値を再度算出する。そして、再度算出された各設定値に従って、乾燥運転を継続する。
【００４０】
即ち、本実施例では、Ｓ２４、Ｓ２６でＹＥＳと判断されることなく所定期間が経過するまでの間は、制御装置７０は、閉塞補正処理（図３参照）を繰り返し実行し、その間に設定された最新の各補正値を用いて各設定値を随時更新しながら（図２のＳ２２）、乾燥運転を継続する。
【００４１】
（コース判定処理及び衣類温温調処理；図４）
図４を参照して、コース判定処理（Ｓ８０〜Ｓ８６）と衣類温温調処理（Ｓ９４〜Ｓ９８、Ｓ８８、Ｓ９０）の内容について説明する。本実施例では、コース判定処理（Ｓ８０〜Ｓ８６）は、図２のＳ２４、Ｓ２６でＹＥＳと判断されることなく所定期間が経過した場合に１回だけ実行され、その後は衣類温温調処理（Ｓ８８、Ｓ９０、Ｓ９４〜Ｓ９８）に移行する。
【００４２】
Ｓ８０では、制御装置７０は、ドラム１０内の衣類Ｃの重量と、衣類Ｃの脱水度と、に基づいて、乾燥運転の運転コースを判定（本判定）し、その結果が定格であるか否かを判断する。Ｓ８０の処理の内容は、図２のＳ１４と同様であるため、詳しい説明は省略する。運転コースの判定結果が定格であると判断される場合（Ｓ８０でＹＥＳ）、制御装置７０は、Ｓ８２に進む。一方、運転コースの判定結果が定格でないと判断される場合（Ｓ８０でＮＯ）、制御装置７０は、Ｓ８４に進む。
【００４３】
Ｓ８２、Ｓ８４では、制御装置７０は、衣類温オフ初期値、衣類温オン初期値、排気温オフ初期値、及び、排気温オン初期値の各初期値を再設定する。Ｓ８２、Ｓ８４の処理は、それぞれ、Ｓ１６、Ｓ１８の処理と同じ処理である。
【００４４】
次いで、Ｓ８６では、制御装置７０は、Ｓ２０と同様に、各設定値を算出する。Ｓ８６では、制御装置７０は、上記Ｓ８２又はＳ８４で設定された各初期値から、図２のＳ２４及びＳ２６でＹＥＳと判断されることなく所定期間が経過した時点（Ｓ２８でＹＥＳ）で設定されている各補正値（図２のＳ２０、図３のＳ５２、Ｓ５６、Ｓ６２参照）を減じることにより、各設定値を算出する。本実施例では、所定期間が経過すると（Ｓ２８でＹＥＳ）、閉塞補正処理（図３）が実行されなくなり、各補正値が確定する。そして、コース判定処理（図４）が実行されることにより、各設定値が確定する（Ｓ８６）。以後は、Ｓ８６で確定した各設定値に従って乾燥運転が継続されることになる。Ｓ８６を終えると、制御装置７０は、衣類温温調処理（Ｓ８８、Ｓ９０、Ｓ９４〜Ｓ９８）を実行する。
【００４５】
制御装置７０は、Ｓ８８、Ｓ９０の監視を実行する。Ｓ８８では、制御装置７０は、排気温が排気温オフ設定値以上になることを監視する。排気温が排気温オフ設定値以上になる場合、制御装置７０は、Ｓ８８でＹＥＳと判断し、図５のＳ１１０以降の処理（即ち、排気温温調処理）を実行する。この場合、衣類温温調処理は終了する。Ｓ９０では、制御装置７０は、衣類温が衣類温オフ設定値以上になることを監視する。衣類温が衣類温オフ設定値以上になる場合、制御装置７０は、Ｓ９０でＹＥＳと判断し、Ｓ９４に進む。
【００４６】
Ｓ９４では、制御装置７０は、バーナ３０をオフする。続くＳ９６では、制御装置７０は、衣類温が衣類温オン設定値未満になることを監視する。バーナ３０をオフした後で、衣類温が衣類温オン設定値未満まで下がると、制御装置７０は、Ｓ９６でＹＥＳと判断し、Ｓ９８に進む。Ｓ９８では、制御装置７０は、再びバーナ３０をオンする。そして、Ｓ８８、Ｓ９０の監視に戻る。
【００４７】
（排気温温調処理；図５）
図５を参照して、排気温温調処理の内容について説明する。Ｓ１１０では、制御装置７０は、バーナ３０をオフするとともに、オフ期間をカウントするためのオフタイマをスタートさせる。続くＳ１１２では、制御装置７０は、Ｓ１１０でオフタイマをスタートさせてからオフ期間が経過することを監視する。オフ期間が経過すると、制御装置７０はＳ１１２でＹＥＳと判断し、Ｓ１１４に進む。
【００４８】
Ｓ１１４では、制御装置７０は、排気温が排気温オン設定値未満になることを監視する。バーナ３０をオフした後で、排気温が排気温オン設定値未満まで下がると、制御装置７０は、Ｓ１１４でＹＥＳと判断し、Ｓ１１６に進む。Ｓ１１６では、制御装置７０は、再びバーナ３０をオンするとともに、オン期間をカウントするためのオンタイマをスタートさせる。
【００４９】
次いで、制御装置７０は、Ｓ１１８、Ｓ１２０、Ｓ１２２の各監視を実行する。Ｓ１１８では、制御装置７０は、Ｓ１１６でオンタイマをスタートさせてからオン期間が経過することを監視する。オン期間が経過すると、制御装置７０はＳ１１８でＹＥＳと判断し、Ｓ１１０に戻り、バーナ３０を再度オフしてオフタイマをスタートさせる。Ｓ１２０では、制御装置７０は、オン期間が経過する前に、衣類温が衣類温オフ設定値以上になることを監視する。衣類温が衣類温オフ設定値以上になる場合、制御装置７０はＳ１２０でＹＥＳと判断し、Ｓ１２４に進む。また、Ｓ１２２では、制御装置７０は、オン期間が経過する前に、排気温が排気温オフ設定値以上になることを監視する。排気温が排気温オフ設定値以上になる場合、制御装置７０はＳ１２２でＹＥＳと判断し、Ｓ１２４に進む。
【００５０】
Ｓ１２４では、制御装置７０は、オンオフデューティのパターンを１段階進める。例えば、オンオフデューティのパターンがパターン１（即ち、オン：オフ＝５０秒：１０秒）に設定されていた場合、Ｓ１２４では、制御装置７０はオンオフデューティのパターンをパターン２（即ち、オン：オフ＝４５秒：１５秒）に変更する。Ｓ１２４を終えると、Ｓ１１０に戻り、制御装置７０は、バーナ３０を再度オフするとともに、オフタイマをスタートさせる。これ以後、制御装置７０は、Ｓ１２４で変更された後のオンオフデューティのパターンが示すオン期間及びオフ期間に従って、Ｓ１１０〜Ｓ１２４の各処理を実行する。
【００５１】
以上の通り、乾燥運転の実行中には、上記の各処理（図２〜図５参照）が実行される。所定の乾燥運転時間が経過した場合、又は、操作部に所定の乾燥中止操作が入力される場合には、制御装置７０は、バーナ３０をオフするとともに、モータ１２及びファン１４を停止させ、乾燥運転を終了させる。その場合、図２〜図５の処理も終了する。
【００５２】
（比較例の乾燥運転；図６）
ここで、本実施例の衣類乾燥機２による乾燥運転の作用効果を十分に説明するために、図６を参照して、従来の衣類乾燥機を用いて乾燥運転を行った場合の比較例を説明する。従来の衣類乾燥機も、図１に示す衣類乾燥機２と同様の構成を備える。ただし、従来の衣類乾燥機では、図５の排気温温調処理は実行されない。従来の衣類乾燥機では、図５の排気温温調処理に代えて、排気温が所定の排気温オフ設定値を上回る場合にバーナを停止させ、バーナを停止させた後に、排気温が所定の排気温オン設定値を下回る場合に、バーナを再度作動させる処理（以下では、「従来の温調処理」と呼ぶ場合がある）を実行する。即ち、従来の温調処理では、オンオフデューティに従ってバーナをオンオフする処理を行わない。そのため、従来の温調処理では、オンオフデューティのパターンを変更する処理も行われない。
【００５３】
図６は、比較例の衣類乾燥機によって乾燥運転を行った場合における衣類温、排気温、吹出温、及び、電極検出状態の推移を示すグラフである。図６の例では、衣類Ｃの重さが２ｋｇであり、乾燥運転時間は３５分に設定されている。そして、衣類温オフ設定値、衣類温オン設定値がそれぞれ９０℃、８０℃に設定され、排気温オフ設定値、排気温オン設定値がそれぞれ７２℃、７１℃に設定されている。図６のうちのＣＴ、ＥＴ、ＢＴは、それぞれ、衣類温、排気温、吹出温の推移を示すグラフである。ＤＳは、衣類の水分を検出するための電極（図１の電極５０に相当する）の検出状態を示す。ＤＳは、電極が衣類の水分を検出した際に出力するパルス信号を示している。
【００５４】
図６の例では、乾燥運転開始から１９分頃まで、衣類温、排気温、吹出温がともに上昇し続ける。また、乾燥運転開始から１５分頃までは電極５０が水分を検出する頻度が高く、その後低くなっている（即ち乾燥が進行している）。そして、乾燥運転開始から１９分経過後に、衣類温が衣類温オフ設定値（即ち９０℃）以上に到達し、衣類温温調処理が実行される。そして、その後、乾燥運転開始から２３分経過後に、排気温が排気温オフ設定値（即ち７２℃）以上に到達し、以後従来の温調処理が実行される。この結果、特に乾燥運転の終盤（２０分以降）において、バーナのオンオフの繰り返し回数が多くなり（バーナオンの合計回数が２０回）、それに伴って、ドラム内の温度が乾燥に適した温度よりも高温に維持され易くなる。その結果、従来の衣類乾燥機による乾燥運転では、ドラム内の衣類が過度に高温に晒され、ダメージを受けるおそれがある。
【００５５】
（実施例の乾燥運転；図７）
一方、図７は、本実施例の衣類乾燥機２によって乾燥運転を行った場合における衣類温、排気温、吹出温、及び、電極検出状態の推移を示すグラフである。図７の例でも、図６の例と同様に、衣類Ｃの重さが２ｋｇであり、乾燥運転時間は３５分に設定されている。そして、衣類温オフ設定値、衣類温オン設定値がそれぞれ９０℃、８０℃に設定され、排気温オフ設定値、排気温オン設定値がそれぞれ７２℃、７１℃に設定されている。
【００５６】
図７の例では、乾燥運転開始から１５分頃まで、衣類温、排気温、吹出温がともに上昇し続ける。また、乾燥運転開始から１５分頃までは電極５０が水分を検出する頻度が高く、その後低くなっている（即ち乾燥が進行している）。そして、乾燥運転開始から１７分経過後に、排気温が排気温オフ設定値（即ち７２℃）以上に到達し、以後、図５の排気温温調処理が実行される。即ち、制御装置７０は、一旦バーナ３０がオフされた後（図５のＳ１１０）、再度オン期間の間バーナ３０がオンされる間（Ｓ１１６）に、衣類温が衣類温オフ設定値以上に到達する場合（Ｓ１２０でＹＥＳ）、又は、排気温が排気温オフ設定値以上に到達する場合に、オンオフデューティのパターンを１段階進める（Ｓ１２４）。これにより、次回以降のオフ期間が長くなり、オン期間が短くなる。これにより、オフ期間の間の衣類温及び排気温の低下が促進され、オン期間の間の衣類温及び排気温の上昇が抑制される。そのため、バーナ３０のオンオフの繰り返し回数が多くなることが抑制される（バーナオンの合計回数が１５回）。それに伴って、ドラム１０内の温度が乾燥に適した温度よりも高温に維持されることを抑制し、ドラム１０内の衣類Ｃがダメージを受けることを抑制することができる。
【００５７】
以上、本実施例の衣類乾燥機２の構成及び運転内容について説明した。上記の通り、制御装置７０は、乾燥運転の開始（図２のＳ１０）後、図３の閉塞補正処理を実行し、吹出温に応じて各補正値を設定する。具体的には、各補正値は、吹出温が１４０℃以上の範囲である場合に、０より大きい値に設定される。そして、制御装置７０は、所定期間が経過すると（Ｓ２８でＹＥＳ）、所定期間が経過した時点で設定されている各補正値（図２のＳ２０、図３のＳ５２、Ｓ５６、Ｓ６２参照）に基づいて、各設定値を算出する（図４のＳ８６）。そして、以後、Ｓ８６で確定された各設定値に従って乾燥運転が継続される。即ち、所定期間経過時点における吹出温が１４０℃以上である場合には、各設定値が初期値より低くなる。そのため、例えば、リントフィルタ１６が閉塞している等の事情によって吹出温が所定の１４０℃以上になるような場合において、バーナ３０を比較的早期にオフさせることができるようになる。そのため、リントフィルタ１６が閉塞している等の場合において、衣類温又は排気温が過度に上昇することを抑制することができる。従って、本実施例の衣類乾燥機２によると、ドラム１０内の衣類Ｃが過度に高温に晒されることを抑制し、ドラム１０内の衣類Ｃがダメージを受けることを抑制することができる。
【００５８】
また、本実施例では、制御装置７０は、乾燥運転の開始（図２のＳ１０）後、所定期間が経過する前であっても、図３の閉塞補正処理によって設定された各補正値を用いて、各設定値を算出し（図２のＳ２２）、その設定値に基づいて乾燥運転を実行する。そして、乾燥運転の開始（図２のＳ１０）後、所定期間が経過する前に、排気温が排気温オフ設定値以上に到達する場合（Ｓ２４でＹＥＳ）、又は、衣類温が衣類温オフ設定値以上に到達する場合（Ｓ２６でＹＥＳ）には、コース判定処理（図４のＳ８０〜Ｓ８６）をスキップし、その時点で設定されている各設定値に基づいて、衣類温温調処理（図４のＳ９４以降）及び排気温温調処理（図５のＳ１１０以降）に進む。即ち、本実施例の衣類乾燥機２によると、例えば、前回の乾燥運転が終了した直後に再度乾燥運転が実行される場合等の状況であっても、所定期間の経過を待つことなく、適切な各設定値に基づいて乾燥運転を実行することができる。そのため、乾燥運転の状況に関わらず、ドラム１０内の衣類Ｃがダメージを受けることを適切に抑制することができる。
【００５９】
また、本実施例では、制御装置７０は、図３の閉塞補正処理において、衣類温オフ補正値及び排気温オフ補正値のみならず、衣類温オン補正値及び排気温オン補正値も設定する。そのため、本実施例の衣類乾燥機２によると、バーナ３０をオフする際の基準となる衣類温及び排気温（即ち、衣類温オフ設定値及び排気温オフ設定値）とともに、バーナ３０をオンする際の基準となる衣類温及び排気温（即ち、衣類温オン設定値及び排気温オン設定値）も補正することができる。そのため、バーナ３０のオンオフの繰り返し回数が過度に多くなることを抑制し、ドラム１０内の温度を、衣類Ｃの乾燥に適した温度に適切に維持することができる。
【００６０】
また、本実施例では、図３の閉塞補正処理において、吹出温が１４０℃以上１６０℃未満の場合（Ｓ５０でＹＥＳ）には、衣類温オフ補正値、衣類温オン補正値はともに１０である（Ｓ５２）が、吹出温が１６０℃以上１８０℃未満の場合（Ｓ５４でＹＥＳ）には、衣類温オン補正値（２０）が衣類温オフ補正値（１５）より大きい。さらに、吹出温が１８０℃以上２００℃未満の場合（Ｓ５８でＹＥＳ）には、衣類温オン補正値（３０）が衣類温オフ補正値（２０）よりさらに大きい。即ち、本実施例の衣類乾燥機２によると、リントフィルタ１６の閉塞度合いが比較的高い時に、閉塞度合いが比較的低い時に比べて、衣類温オン補正値を衣類温オフ補正値より大きくする（即ち、オフ設定値とオン設定値の温度差を大きくする）ことができる。この結果、衣類温の平均温度を低くすることができ、バーナ３０のオンオフ切り替え回数も少なくすることができる。
【００６１】
また、本実施例では、制御装置７０は、乾燥運転の開始後に、排気温が排気温オフ設定値以上に到達すると、図５の排気温温調処理を実行する。即ち、制御装置７０は、一旦バーナ３０がオフされた後（図５のＳ１１０）、再度オン期間の間バーナ３０がオンされる間（Ｓ１１６）に、衣類温が衣類温オフ設定値以上に到達する場合（Ｓ１２０でＹＥＳ）、又は、排気温が排気温オフ設定値以上に到達する場合に、オンオフデューティのパターンを１段階進める（Ｓ１２４）。これにより、次回以降のオフ期間が長くなり、オン期間が短くなる。これにより、オフ期間の間の衣類温及び排気温の低下が促進され、オン期間の間の衣類温及び排気温の上昇が抑制される。そのため、バーナ３０のオンオフの繰り返し回数を抑制することができる。そして、それに伴って、ドラム１０内の温度が乾燥に適した温度よりも高温に維持されることを抑制し、ドラム１０内の衣類Ｃがダメージを受けることを抑制することができる。
【００６２】
本実施例の記載と請求項の記載との対応関係を説明しておく。衣類温と排気温が「関係温度」の一例である。衣類温サーミスタ及び排気温サーミスタが「関係温度検出手段」の一例である。衣類温オフ設定値と排気温オフ設定値が「オフ閾値」の一例である。衣類温オン設定値と排気温オン設定値が「オン閾値」の一例である。図５のＳ１２０又はＳ１２２でＹＥＳの場合が「特定の場合」の一例である。
【００６３】
以上、実施例について詳細に説明したが、これらは例示に過ぎず、特許請求の範囲を限定するものではない。特許請求の範囲に記載の技術には、以上に例示した具体例を様々に変形、変更したものが含まれる。
【００６４】
（変形例１）上記の実施例では、図５のＳ１２０又はＳ１２２でＹＥＳの場合に、制御装置７０は、オンオフデューティのパターンを１段階進める（Ｓ１２４）。これに代えて、制御装置７０は、Ｓ１２０でＹＥＳの場合（即ち、衣類温が衣類温オフ設定値以上に到達する場合）、Ｓ１２４をスキップしてＳ１１０に進んでもよい（即ち、オンオフデューティのパターンを１段階進めなくてもよい）。反対に、制御装置７０は、Ｓ１２２でＹＥＳの場合（即ち、排気温が排気温オフ設定値以上に到達する場合）、Ｓ１２４をスキップしてＳ１１０に進んでもよい（即ち、オンオフデューティのパターンを１段階進めなくてもよい）。
【００６５】
（変形例２）また、制御装置７０は、オン期間が経過する前に、衣類温が衣類温オフ設定値以上に到達し、かつ排気温が排気温オフ設定値以上に到達する場合に（即ち、図５のＳ１２０とＳ１２２の両方でＹＥＳの場合）に、制御装置７０は、オンオフデューティのパターンを１段階進めるようにしてもよい。
【００６６】
（変形例３）上記の実施例では、図５のＳ１２４において、制御装置７０は、オンオフデューティのパターンを１段階進めており、オフ期間を長くするとともに、オン期間を短くしている。これに限られず、制御装置７０は、Ｓ１２４において、オフ期間を長くし、オン期間は変更しないようにしてもよい。この場合、オフ期間とオン期間の合計が所定の単位期間（例えば６０秒間）より長くなっても短くなってもよい。
【００６７】
（変形例４）上記の実施例では、図２のＳ２０、図３のＳ５２、Ｓ５６、Ｓ６２において、制御装置７０は、衣類温オフ補正値及び排気温オフ補正値に加えて、衣類温オン補正値及び排気温オン補正値も設定し、それらの各補正値を用いて各設定値を算出している（図２のＳ２２、図４のＳ８６）。これに限られず、制御装置７０は、図２のＳ２０、図３のＳ５２、Ｓ５６、Ｓ６２において、衣類温オフ補正値及び排気温オフ補正値のみを設定し、衣類温オン補正値及び排気温オン補正値の設定を省略してもよい。この場合、図２のＳ２２、図４のＳ８６において、制御装置７０は、衣類温オン初期値及び排気温オン初期値を、それぞれ、そのまま衣類温オン設定値及び排気温オン設定値として特定してもよい（即ち、補正値を減じる計算を行わなくてよい）。
【００６８】
（変形例５）上記の実施例では、制御装置７０は、乾燥運転の開始（図２のＳ１０）後、図３の閉塞補正処理を実行し、吹出温に応じて各補正値を設定する。具体的には、各補正値は、吹出温が１４０℃以上の範囲である場合に、０より大きい値に設定される。これに代えて、制御装置７０は、乾燥運転の開始時点からの吹出温の上昇量に応じて各補正値を設定してもよい。言い換えると、制御装置７０は、乾燥運転の開始時点からの吹出温の上昇度合い（若しくは上昇速度）に応じて各補正値を設定してもよい。そして、各補正値は、吹出温の上昇量が所定の上昇温閾値（例えば、１２０℃）以上の範囲である場合に、０より大きい値に設定されてもよい。そして、制御装置７０は、所定期間が経過すると、所定期間が経過した時点で設定されている各補正値に基づいて、各設定値を算出するようにしてもよい。そして、以後、確定された各設定値に従って乾燥運転が継続されてもよい。この変形例による場合も、衣類乾燥機２は、リントフィルタ１６が閉塞している等の事情に応じて、衣類温又は排気温が過度に上昇することを抑制することができる。
【００６９】
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７０】
２：衣類乾燥機
４：筐体
６：ドア
１０：ドラム
１０ａ：前面開口部
１０ｂ：後面開口部
１２：モータ
１４：ファン
１６：リントフィルタ
２０：排気口
２２：排気温サーミスタ
３０：バーナ
３２：ガス供給管
３４：電磁弁
３６：吹出口
４０：吹出温サーミスタ
５０：電極
６０：衣類温サーミスタ
７０：制御装置
Ｃ：衣類
【図１】
0006594262.tif 000002
【図２】
0006594262.tif 000003
【図３】
0006594262.tif 000004
【図４】
0006594262.tif 000005
【図５】
0006594262.tif 000006
【図６】
0006594262.tif 000007
【図７】
0006594262.tif 000008